(57)【要約】【課題】ワイヤソーの走行方向の変更にプーリが自動的に追随できるようにするとともに、ワイヤソーの配設を簡単にできるようにする。【解決手段】中空パイプ２の上端にキャスター式プーリ１が固定してある。キャスター式プーリ１は、基台１６にヨーク１５が旋回可能に設けてあり、ヨーク１５の先端側に回転体１０が取り付けてある。基台１６の下側には固定具１７が設けてあり、固定具１７は拡張してパイプ２の内壁に密着して旋回式プーリ１をパイプに固定するものであり、パイプ２に対して着脱自在である。パイプ２の下端には、同様のキャスター式プーリ１が設けてある。ワイヤソー３が、上部の回転体１０で下向きに方向変換され、中空部を通ってパイプ２の中空部内に導かれ、下部回転体１１に巻掛けられて水平方向に変換されて切断対象に導かれて巻きかけられる。【選択図】図１
0003141005.tif 000002
【実用新案登録請求の範囲】
【請求項１】
棒体の両端部にキャスター式のプーリが固定してあるワイヤソー用のプーリ。
【請求項２】
請求項１において、プーリが棒体に対して着脱自在であるワイヤソー用のプーリ。
【請求項３】
請求項１において、棒体両端のプーリの直径が異なるものであるワイヤソー用のプーリ。
【請求項４】
請求項１〜３のいずれかにおいて、棒体がパイプまたは型鋼のいずれかであるワイヤソー用のプーリ。
【考案の詳細な説明】
【技術分野】
【０００１】
本考案は、コンクリート構造物や橋梁の伸縮継手を切断撤去するワイヤソー工法において、ワイヤソーの走行をガイドするプーリに関する。
【背景技術】
【０００２】
ワイヤソー切断工法は、ワイヤソーを切断対象に巻きまわし、駆動装置でワイヤソーを走行させて切断するものであり、騒音を発生することなく、また、対象の形状を選ばずに切断することができる。構造物の表面部の一部であっても、切断部分を包囲する溝を表面に形成することによって切断撤去することができるので、橋梁や高架道路のジョイントの撤去にも近年使用されるようになってきている。ワイヤソーは、切断対象及びワイヤソー駆動装置と切断対象との間の適宜箇所に設置したプーリによってワイヤソーの走行方向を変換して対象物の切断箇所に導いて配設している。
そのため、切断対象や切断箇所に応じたプーリが特許文献１〜３に示されるように提案されている。その一例を図５に示す。
【特許文献１】特許第２５５７１１４号公報
【特許文献２】特許第２５５７１１５号公報
【特許文献３】特開２００２−０３６２３１号公報
【考案の開示】
【考案が解決しようとする課題】
【０００３】
ワイヤソーを切断対象物に巻きまわすには、プーリを適宜の位置に設置してワイヤソーの走行方向を変換しており、図６に示すように、適宜の位置にブラケット等の固定具を設置してプーリを配置してワイヤソーをガイドしている。
（１）はネジロッドに移動プーリを設けたものであり、（２）は、穴の深部にプーリを位置させるものであり、（３）は切断当初のトルク軽減のために一時的にプーリを設けたものであり、（４）はスイングアーム式のプーリであり、（５）は、ワイヤソーの走行面を変更できるようにしたプーリである。
橋梁の伸縮継手を床版から撤去する場合、図５に示すように、伸縮継手の周囲に設けた溝内にワイヤソーを配設して走行させ、床版と伸縮継手を水平に切断して撤去することがおこなわれているが、切断が進行するに従って、プーリの回転方向とワイヤソーの走行方向にずれが生じてワイヤソーがプーリから外れたり、切断されてしまう場合があるので、切断を一端中断しプーリを配設しなおしすることがあり、施工効率が低下するという問題があった。
そこで、ワイヤソーの走行方向の変更にプーリが自動的に追随できるようにするとともに、ワイヤソーの配設を簡単にできるようにするものである。
【課題を解決するための手段】
【０００４】
棒体の両端部にキャスター式のプーリを設けたものであり、切断の進行にともなって変更していくワイヤソーの走行方向にキャスター式のプーリが追随するので、ワイヤソーの走行方向とプーリの回転方向が常に一致する。
キャスター式のプーリは棒体に対して着脱自在であり、棒体の種類及びプーリの直径等を適宜変更でき、現場の状況に応じて対応が可能である。
また、棒体の両端にキャスター式のプーリを設けたものであり、ワイヤソー駆動装置の設置位置から切断位置までの間のワイヤソーの走行方向の変換を垂直方向、水平方向を問わず自在におこなうことができる。
更に、棒体両端のプーリの直径を異なるものとしたものである。
【考案の効果】
【０００５】
切断の進行にともなって変更していくワイヤソーの走行方向にキャスター式のプーリが自動的に旋回して追随するので、ワイヤソーの走行方向とプーリの回転方向が常に一致するので、プーリの設置替えが不要となり、施工効率が向上する。
キャスター式のプーリは棒体に対して着脱自在であり、棒体の種類及びプーリの直径等を現場の状況に応じて対応が可能である。また、ワイヤソー駆動装置の設置位置から切断位置までの間のワイヤソーの走行方向の変換を垂直方向、水平方向を問わず自在におこなうことができるので、ワイヤソー駆動装置の設置場所が限定されず、空間に余裕のない現場にも対応可能である。
【考案を実施するための最良の形態】
【０００６】
実施例１
図面に基づいて本考案を説明する。
図１に示すように、支持体としての中空のパイプ２の上端にキャスター式のプーリ１が固定してある。
キャスター式プーリ１は、基台１６にヨーク１５が旋回可能に設けてあり、ヨーク１５の先端側に回転体１０が回転可能に取り付けてある。
図１において、基台１６の下側には中空部を有する固定具１７が設けてあり、固定具１７は適宜の手段で拡張してパイプ２の内壁に密着して固定するものであり、パイプ２に対して着脱自在である。
パイプ２の下端には、回転体１０と同じ直径の回転体１１のキャスター式プーリ１が固定してある。ワイヤソーの走行の安定性のため、上下のプーリの回転体の直径を異なるものとしてもよい。また、下部回転体１１の直径を小さくすると、床版に形成するプーリを設置するための空間が小さくて済むメリットがある。
ワイヤソー駆動装置（図示しない）から延びるワイヤソー３が、上部のキャスター式プーリ１の回転体１０で下向きに方向を変更され、中空部を通ってパイプ２の中空部内に導かれ、下側の回転体１１に巻掛けられて水平方向に変換されて切断対象に導かれて巻きかけられる。
【０００７】
図３は、橋梁の伸縮継手５をワイヤソー３によって水平切断する際の伸縮継手５を上から見た状態の模式図であり、ワイヤソー駆動装置４、ワイヤソー３及び本考案のキャスター式プーリ１の配置を示すものである。この例は、走行式のワイヤソー駆動装置４を横倒しにして設置したものである。４隅の円形は、床版にワイヤソー走行溝５１を形成する際にガイドとするためにコアカッターで円形に切断した状態を示すものである。
４１はワイヤソー駆動装置４の調整プーリ、４２はガイドプーリ、４５は駆動装置を移動させるための車輪であり、横倒しとしているためにワイヤソー駆動装置の４の底面が露出した状態である。
【０００８】
図３においては、ワイヤソー駆動装置４から溝５１に向かってワイヤソー３を斜め方向に導いていることを示すためにガイドプーリ４２を楕円形に描いている。
本考案のキャスター式プーリ１は、ワイヤソー３の走行方向を水平、垂直の両方向に方向変換するので、ワイヤソー３の配設自由度が高まり、ワイヤソー駆動装置の設置場所が制限されない。
ワイヤソー駆動装置４のガイドプーリ４２から引き出されたワイヤソー３は、本考案のキャスター式プーリ１の上側の回転体１０によって下方向に導かれ、更に、回転体１１によって走行方向が溝５１の方向に斜めに変換されることを示すため、キャスター式プーリ１の回転体１０を楕円形に描いている。
【０００９】
本考案のプーリ１を設置するには、図４に示すように、溝５１の両側に長さ５０〜１００ｃｍ程度のパイプ６、６を、アンカーで床版に固定したパイプ固定機６０に立てて固定し、更に、伸縮継手５の上方にパイプ６１を水平に溝５１を横断させて両側のパイプ６，６にクランプ６２で固定する。この水平パイプ６１に本考案のキャスター式プーリ１の下側の回転体１１が、溝５１の底部に位置するように調整して固定し、回転体１１で方向変換されたワイヤソー３が溝５１の底部を走行するようにしてある。
ワイヤソー３をワイヤソー駆動装置４で駆動して走行させ、床版コンクリートと伸縮継手５を水平に切断する。
【００１０】
実施例２
図２に示すプーリは、パイプ２の上下端にキャスター式プーリ１をクランプ２１で固定したものである。プーリ１の基台１６の下側にクランプ２１を設けたものであり、着脱が自在である。従って、現場で適宜の長さのパイプを選択することができ、また、上下のプーリの直径も種々の組み合わせを選択することができる。
【図面の簡単な説明】
【００１１】
【図１】実施例１のプーリの正面図。
【図２】実施例２のプーリの正面図。
【図３】ワイヤソーによる橋梁の伸縮継手の切断撤去において本考案のプーリを使用した状態の平面概念図。
【図４】ワイヤソーによる橋梁の伸縮継手の切断撤去において本考案のプーリを使用した状態の断面概念図。
【図５】従来のワイヤソーによる橋梁の伸縮継手の切断撤去におけるワイヤソーの配置説明図。
【図６】ワイヤソー工法における各種プーリの説明図。
【符号の説明】
【００１２】
１    キャスター式プーリ
１０  上部プーリ
１１  下部プーリ
２    棒体（パイプ）
３    ワイヤソー
【図１】
0003141005.tif 000003
【図２】
0003141005.tif 000004
【図３】
0003141005.tif 000005
【図４】
0003141005.tif 000006
【図５】
0003141005.tif 000007
【図６】
0003141005.tif 000008